(57)【特許請求の範囲】
【請求項１】
多数の貫通孔が規則的に配列された多孔パネルに取り付けられるホルダーであって、
前板と背板とを片側板と底板とで連結することによって他側と上方とを連続的に解放してなるホルダーの前記背板の背面に前記多孔パネルに配列された穿孔部に挿入して掛止する引掛突起が形成され、前記引掛突起は、前記背板側の下方に前記穿孔部の下辺を挟み込むように係止する隙間が形成され、
前記背板の上方に弾性復帰を可能とする弾性片が形成されると共に該弾性片の背面に前記引掛突起を前記多孔パネルの穿孔部に引掛係止した状態で他の穿孔部内の隅部に嵌入する突起状のストッパが形成され、前記ストッパは、前記弾性片に張り出し形成された押え片を押し下げることによって前記多孔パネルの穿孔部から解放されるように構成されており、
前記弾性片に張り出し形成された押え片を押し下げることによって、前記ストッパを前記多孔パネルの穿孔部から解放して前記引掛突起の上方移動及び前記穿孔部からの抜き出しを可能とした
ことを特徴とする多孔パネル用ホルダー。
【請求項２】
前記弾性片は前記背板の上方に薄板部を有して設けられた
ことを特徴とする請求項１記載の多孔パネル用ホルダー。
【請求項３】
前記ホルダーの少なくとも前記前板が透視性を有するように形成された
ことを特徴とする請求項１記載の多孔パネル用ホルダー。
【請求項４】
前記ホルダーを左右対称の形状で形成した一対のホルダーを用い、各ホルダーの解放側を対向させた状態で夫々のホルダーを平行に配列してリーフレット等のサイズに応じた離間幅に調整することによって前記多孔パネルの任意位置に取り付ける
ことを特徴とする請求項１記載の多孔パネル用ホルダー。
【請求項５】
前記底板が前記背板方向に下り勾配を有して形成された
ことを特徴とする請求項１記載の多孔パネル用ホルダー。
【請求項６】
前記多孔パネルに取り付けた前記ホルダーを単独に使用して携帯電話等の小物品を収納するようにした
ことを特徴とする請求項１記載の多孔パネル用ホルダー。
【発明の詳細な説明】
【０００１】
【発明の属する技術分野】
本発明は、リーフレット、パンフレット、カタログ等の用紙或は小冊子（以下、総称して「リーフレット等」と云う）或は携帯電話等の小物品を保持して多孔パネルに展示するようにした多孔パネル用ホルダーに関するものである。
【０００２】
【従来の技術】
店舗等への来客がリーフレット等を自由に持ち帰る際、該リーフレット等を展示しておく必要があるが、リーフレット等の種類が多い場合、その展示スペースを小面積にしたリーフレットスタンドを用いることがある。
【０００３】
このようなリーフレットスタンドには多孔パネルを用いることがあるが、多孔パネルに取り付けるホルダーとしてはワイヤーバーでリーフレット等を保持したり、ポケット状に形成されたホルダーを用いてリーフレット等を収容するようにしたものがあった。
【０００４】
ところが、上記の従来の多孔パネル用ホルダーは大きさが特定されているため、リーフレットのサイズに応じた多様な大きさのホルダーを用意しておく必要があり、そのホルダーの保管スペースの確保や、取扱が面倒となるという問題があった。
【０００５】
なお、大型のホルダーを設置しておけば、大小のリーフレットを収容することができるが、見栄えが悪く、スペースの利用効率が悪く、また小型のリーフレットの場合はホルダーから取り出しにくいという問題点も生じる。
【０００６】
さらに、上記の多孔パネルには、携帯電話等の小物品を展示するホルダーを設置する場合もあるが、従来のリーフレット用ホルダーは、携帯電話等の小物品の展示には不向きであり、別途作成された携帯電話等の小物品のためのホルダーを用意する必要があった。
【０００７】
【発明が解決しようとする課題】
本発明は、このような従来の問題点を解消するためになされたものであり、リーフレット等のサイズに応じて収容スペースを調節することができ、さらには携帯電話等の小物品の陳列も可能とした多孔パネル用ホルダーを提供することを目的とする。
【０００８】
【課題を解決するための手段】
上記の目的を達成するために、本発明の請求項１の多孔パネル用ホルダーは、多数の貫通孔が規則的に配列された多孔パネルに取り付けられるホルダーであって、前板と背板とを片側板と底板とで連結することによって他側と上方とを連続的に解放してなるホルダーの前記背板の背面に前記多孔パネルに配列された穿孔部に挿入して掛止する引掛突起が形成され、前記背板の上方に弾性復帰を可能とする弾性片が形成されると共に該弾性片の背面に前記引掛突起を前記多孔パネルの穿孔部に引掛係止した状態で他の穿孔部内の隅部に嵌入する突起状のストッパが形成され、前記弾性片に張り出し形成された押え片を押し下げることによって前記ストッパを前記多孔パネルの穿孔部から解放して前記引掛突起を抜き出し可能としたことを特徴とする。
【０００９】
本発明の請求項２の多孔パネル用ホルダーは、請求項１において、前記弾性片は前記背板の上方に薄板部を有して設けられたことを特徴とする。
【００１０】
本発明の請求項３の多孔パネル用ホルダーは、請求項１において、前記ホルダーの少なくとも前記前板が透視性を有するように形成されたことを特徴とする。
【００１１】
本発明の請求項４の多孔パネル用ホルダーは、請求項１において、前記ホルダーを左右対称の形状で形成した一対のホルダーを用い、各ホルダーの解放側を対向させた状態で夫々のホルダーを平行に配列してリーフレット等のサイズに応じた離間幅に調整することによって前記多孔パネルの任意位置に取り付けることを特徴とする。
【００１２】
本発明の請求項５の多孔パネル用ホルダーは、請求項１において、前記底板が前記背板方向に下り勾配を有して形成されたことを特徴とする。
【００１３】
本発明の請求項６の多孔パネル用ホルダーは、請求項１において、前記多孔パネルに取り付けた前記ホルダーを単独に使用して携帯電話等の小物品を収納するようにしたことを特徴とする。
【００１４】
【発明の実施の形態】
以下、本発明の実施例について図面を参照しながら説明する。
【００１５】
本発明によるホルダー１を取り付ける多孔パネル１０は、図４に示すように、多数の穿孔部１１、１１…が左右及び上下方向に等間隔で形成されてなるもので、このような多孔パネル１０を図５に示すようなスタンド１３に取り付けて縦状または傾斜状に立設支持するようにしている。
【００１６】
この多孔パネル１０のスタンド１３は、その側面を図５に示すように、前方（左方）から見て矩形に形成された前部フレーム１４の上部に多孔パネル１０が固設され、前部フレーム１４の左右下端に蝶番１５等によって下部フレーム１６が回動自在に取り付けられ、さらにこの下部フレーム１６にキャスター１７が取り付けられることによって移動自在とされ、前部フレーム１４と下部フレーム１６とを支持部材１８で方杖状に支持することによって多孔パネル１０に所定の傾斜角を設けた構成としている。
【００１７】
なお、本発明の多孔パネル用ホルダー１は、多孔パネル１０を上記のスタンド１３に設けなくても使用し得るものであり、例えば、多孔パネル１０を吊り下げるようにした設置状況においても使用可能である。
【００１８】
本発明によるホルダー１は、図１に示すように、前板２と背板３と底板４と片側板５とを互いに結合し、或は合成樹脂等による一体成形により形成されてなるもので、前板２と背板３とを片側板５と底板４とで連結することによって片側板５が設けられていない他側と上方とが連続的に解放された形状を有するもので、図２(d) または(e) に示すように、前板２と背板３との間に片側板５と底板４の板幅だけの離間幅を有し、この幅がリーフレット２０等を収容し得る幅となる。
【００１９】
なお、前板２の解放側縁部２ａは曲線を成すように形成されているが、これは意匠上配慮された形状であって、矩形その他の形状であってもよい。
【００２０】
また、ホルダー１の背板３の背面には多孔パネル１０に配列された穿孔部１１に挿入して掛止する引掛突起６が形成されている。即ち、本実施例においては、図２(a) 、(b) 、(d) に示すように、ホルダー１の背板３の背面に縦方向に３個の引掛突起６、６…が等間隔で形成され、図３(c) に示すように、夫々の引掛突起６、６…が多孔パネル１０の縦方向に配列された多数の穿孔部１１、１１…のうち選択された３個の穿孔部１１、１１…に掛止されるようにされている。
【００２１】
この引掛突起６には、図３(a) に示すように背板３側の下方に多孔パネル１０の厚さ分だけの隙間６ａが形成され、図３(b) に示すようにホルダー１の夫々の引掛突起６、６…を多孔パネル１０の夫々の穿孔部１１、１１…に挿入した後、ホルダー１を押し下げると、引掛突起６の隙間６ａが穿孔部１１の下辺を挟み込むように係止する。
【００２２】
なお、引掛突起６は１個のホルダー１に対して１個を設けることにしてもよいが、上下方向に複数配列することによって多孔パネル１０に取りつけた際の強度が増し、ホルダー１に収容したリーフレット２０等の重量に対する耐強度を夫々の引掛突起６、６…に分散することができる。
【００２３】
図２(a) 、(b) 、(d) に示すように、上記のホルダー１の背板３の上方には弾性復帰を可能とする薄板部７を有して延長された弾性片８が形成されている。即ち、この背板３は上方が幅を縮小した形状とされ、この上部の薄板部７の板厚が横方向に薄く形成され、さらに弾性片８の薄板部７の上部における側部に押え片８ａが張り出し形成された構成とされている。従って、押え片８ａと側板５との間には薄板部７と略同幅の隙間２１が与えられ、図３(d) に示すように、この隙間２１に対して押え片８ａを下方へ押し下げて弾性片８を薄板部７の撓みによって前方に屈曲することが可能となる。
【００２４】
また、図２(a) 、(b) 、(d) に示すように、弾性片８の背面には突起状のストッパ９が形成されている。このストッパ９は、背板３の複数の引掛突起６、６…を多孔パネル１０の穿孔部１１、１１…に引掛係止した状態で、その上方の穿孔部１１内の隅部に嵌入係止される位置に形成されている。
【００２５】
このような構成によって、図３(c) に示す状態から押え片８ａを押し下げると、図３(d) に示すように弾性片８が前方に撓んでストッパ９が穿孔部１１に対する掛止状態から解放され、また、押え片８ａを押し下げないことによって弾性片８が元の状態に復帰する。
【００２６】
従って、本発明によるホルダー１を多孔パネル１０に取り付けるには、図３(a) に示すようにホルダー１の取付位置を多孔パネル１０の任意位置に選択し、図３(b) に示すようにホルダー１の引掛突起６、６…を多孔パネル１０の穿孔部１１、１１…に挿入すると、上方のストッパ９は多孔パネル１０の面に当たった状態で弾性片８が前方に撓み、そのままホルダー１を下方に移動すると、夫々の掛止突起６、６、…が対応する穿孔部１１、１１…に係止され、図３(c) に示すようにストッパ９は自動的に穿孔部１１内の上方隅部に嵌入されて弾性片８が元の直状に復帰する。
【００２７】
この状態において、複数の引掛突起６、６…は各穿孔部１１に掛止されると共に、ストッパ９が上方の穿孔部１１内の上方隅部に係止されているため、ホルダー１を上方に移動する力が作用した場合でも、ストッパ９がホルダー１の上方への移動を制止して引掛突起６、６…の抜け出しを防止することができる。
【００２８】
また、ホルダー１を取りはずすには、上記と逆の操作を行う。即ち、図３(d) に示すように、押え片８ａを押し下げると、上方の穿孔部１１に対する係止状態からストッパ９が解除され、この状態で各引掛突起６、６…の上方移動が可能となり、ホルダーを上方へ移動することによって各引掛突起６、６…を夫々の穿孔部１１、１１…から抜き出すことができる。
【００２９】
また、本発明のホルダー１の使用の形態としては、図１に示すように、左右対称形状に形成した一対のホルダー１、１を形成し、夫々のホルダー１、１の片側面５が設けられていない解放側１９、１９を対向した状態で多孔パネル１０の任意の穿孔部１１に取り付けることによってリーフレット２０等のサイズに応じた離間幅に調整し得ることが可能となる。
【００３０】
上記の構成においては、ホルダー１の少なくとも前板２が透視性を有するように形成されると、収容したリーフレット等の隅部が前板２で見えなくなるという不都合を解消することができる。
【００３１】
また、本発明は、図８に示すように、ホルダー１を単独に使用して多孔パネル１０に取り付けることによって携帯電話２４等の小物品を収納するものとすることができる。この場合、図示のように同形状のホルダー１を近接した横方向に配列することによって、ホルダー１に収容した携帯電話２４が右方にずれた場合でも隣設されたホルダー１によって携帯電話２４が落下するのを防止することができる。
【００３２】
さらに、ホルダー１に収容すべきリーフレット２０が縦長の場合、リーフレット２０が前方に撓むおそれがあるが、このような場合は、図７に示すようにワイヤーバー２３を取り付けるのが望ましい。このワイヤーバー２３は、図６に示すように、両端に屈曲部２４、２４が形成され、各屈曲部２４、２４を穿孔部１１、１１に挿着することによって着脱自在に取り付けられる。なお、図７に示すように、短尺のワイヤーバー２３を各ホルダー１の上方に取り付けたり、また図４に示すように多孔パネル１０の略幅にわたる長尺のワイヤーバー２３を取り付けることも可能である。
【００３３】
また、図９に示すように、左右一対のホルダー１、１を上下に配して、夫々を上記のように多孔パネル１０に取り付けることにより、各ホルダー１、１…でリーフレット２０の四隅を押えることが可能となる。
【００３４】
さらに、本発明のホルダー１において、図１０に示すように、底板４が背板３方向に下り勾配（勾配角α）を有して形成された場合、ホルダー１に収容した多数のリーフレット２０、２０…が前方から順次突出したものとなって取り出しやすくなる。
【００３５】
【発明の効果】
以上説明したように、本発明の多孔パネル用ホルダーによれば、多孔パネルに対するホルダーの取付位置は任意に決めることができ、ホルダーを左右一対に取り付けた場合、リーフレット等のサイズに応じて離間幅を調節することによって自由な収容スペースを得ることができる。
【００３６】
しかも、ホルダーは一種または一対の形状を有するだけであって、取り付け位置を変えるだけで様々なサイズのリーフレットを収容することができるため、ホルダーの使用効率が良く、保管及び取扱いに利便となる。
【００３７】
また、ホルダーを単独で使用することもでき、この場合、多孔パネルに対する自由な取付位置で携帯電話等の小物品の陳列も可能となる。
【００３８】
また、ホルダーの構成において、多孔パネルの穿孔部に掛止された引掛突起はストッパによって抜け止めがなされ、押え片を押し下げるだけでホルダーの取り出しが可能となるように、ホルダーの取り付け及び取りはずしが簡単であり、取り付け状態における抜け止め防止も単純な構成によって達成されている。
【００３９】
さらに、本発明のホルダーにおいて底板が背板方向に下り勾配を有した構成とすると、ホルダーに収容した多数のリーフレットが前方から順次突出したものとなって取り出しやすくなる。
【図面の簡単な説明】
【図１】本発明による多孔パネル用ホルダーを一対の形状に形成して多孔パネルに取り付けた状況を示す斜視図である。
【図２】本発明による多孔パネル用ホルダーを示す図であり、(a) は背面図、(b) は左側側面図、(c) は正面図、(d) は右側側面図、(e) は上面図である。
【図３】本発明による多孔パネル用ホルダーを多孔パネルに取り付ける手順を示す側面図であり、(a) は取り付け前の状況を示し、(b) は各引掛突起を各穿孔部に挿入した状態を示し、(c) は各引掛突起を各穿孔部に掛止した状態を示し、(d) はホルダーを取りはずす際に押え片を押し下げた状態を示す。
【図４】本発明における多孔パネルの正面図である。
【図５】本発明における多孔パネルの側面図である。
【図６】本発明における多孔パネルに取り付けるワイヤーバーの斜視図である。
【図７】本発明による多孔パネル用ホルダーを一対の形状に形成して多孔パネルに取り付けると共にワイヤーバーを取り付けた状況を示す正面図である。
【図８】本発明による多孔パネル用ホルダーに携帯電話を収容した状況を示す正面図である。
【図９】本発明による多孔パネル用ホルダーでリーフレット等の四隅を押えるようにした使用状況を示す正面図である。
【図１０】本発明による多孔パネル用ホルダーの底板が背板方向に下り勾配を有して形成されたものを多孔パネルに取り付けた使用状況を示す側面図である。
【符号の説明】
１…ホルダー
２…前板
３…背板
４…底板
５…片側板
６…引掛突起
６ａ…隙間
７…薄板部
８…弾性片
８ａ…押え片
９…ストッパ
１０…多孔パネル
１１…穿孔部
１３…スタンド
１４…前部フレーム
１５…蝶番
１６…下部フレーム
１７…キャスター
２０…リーフレット
２３…ワイヤーバー
【図１】
0004943578.tif 000002
【図２】
0004943578.tif 000003
【図３】
0004943578.tif 000004
【図４】
0004943578.tif 000005
【図５】
0004943578.tif 000006
【図６】
0004943578.tif 000007
【図７】
0004943578.tif 000008
【図８】
0004943578.tif 000009
【図９】
0004943578.tif 000010
【図１０】
0004943578.tif 000011